(57)【要約】【課題】本発明は、生物処理槽内で使用される流動担体の交換や回収といった管理作業を水抜きすることなく確実に効率よく行うことができる流動担体生物処理槽を提供することを目的とするものである。【解決手段】流動担体生物処理槽１は、上方が開口し直方体状の空間に形成された槽本体２と、槽本体２の上方から排水を流入させる流入管３と、槽本体２の内部から処理された水を流出させる流出管４と、槽本体２の底面に空気を送給する給気管５と、槽本体２内に取り付けられた網体６とを備えている。網体６の内部には、多数の流動担体７が滞留しており、網体６により外部への流出が防止される。また、網体６を引き上げることにより流動担体７を集めて回収・交換を行うことができる。【選択図】図１
2007319807.tif 000002
【特許請求の範囲】
【請求項１】
上方が開口されているとともに流入した排水を一時的に貯留する槽本体と、前記槽本体内の排水中に流動するとともに排水に含まれる有機物を分解する微生物を担持する多数の流動担体と、前記槽本体内に拡がるように設置されて内部に前記流動担体を滞留させるとともに前記流動担体を捕捉可能な網目構造に形成された繊維製の網体とを備えていることを特徴とする流動担体生物処理槽。
【請求項２】
前記網体は、上方が開口された袋状に形成されており、上方開口の周縁部が水面より上方の位置で前記槽本体に移動可能に取り付けられていることを特徴とする請求項１に記載の流動担体生物処理槽。
【請求項３】
前記槽本体の周壁面及び底面に沿うように前記網体を拡げて保持する保持手段を備えていることを特徴とする請求項１又は２に記載の流動担体生物処理槽。
【発明の詳細な説明】
【技術分野】
【０００１】
本発明は、排水中の有機物を微生物により分解する流動担体生物処理槽に関する。
【背景技術】
【０００２】
近年環境問題に対する認識の高まりとともに、廃棄物処理に関して法律が制定されてその処理基準が定められている。固形物を除去した汚水や廃水についてもそのまま河川等に放流せずに浄化処理する必要がある。こうした汚水や廃水の浄化処理の方法として担体生物処理槽が用いられている。
【０００３】
例えば、特許文献１では、小径のスポンジ状又は筒状の濾材を濾過槽の汚水に多数浮遊させ、濾過槽の下部から曝気装置のエア噴出管によりエアを送り込んで汚水を循環させながら、濾材の浄化能力を利用して汚水を濾過する流動床式の水処理装置が記載されている。また、特許文献２では、担体生物処理槽内に設けられた排水の越流部に担体が流出するのを防止するスクリーンを設けた点が記載されている。また、特許文献３では、液状化されたごみや台所排水を処理する好気槽内に担体の流出を防止する防止網を上下に設けた点が記載されている。
【特許文献１】特開２００２−１５３８９４号公報
【特許文献２】特開２００２−２００４９７号公報
【特許文献３】特開２００３−３９０９７号公報
【発明の開示】
【発明が解決しようとする課題】
【０００４】
上述した先行文献に記載された生物処理槽では、処理槽内でメンテナンス作業をする場合には一旦流動担体を回収する必要があるが、流動担体が多数浮遊した状態では回収する手間がかかるため、ポンプにより流動担体を吸い上げたり、処理槽内の水抜きをした後手作業による回収を行うなどしている。
【０００５】
しかしながら、流動担体は処理槽内を多数浮遊するため、回収時に処理槽内に散逸しやすくその回収には時間と手間がかかるのが現状である。また、一旦処理槽内の水抜きを行うと、その間処理槽が使用できなくなって廃水処理を停止しなければならず、廃水処理を効率よく進めていく上で処理槽内の水抜きはできるだけ避けることが望ましい。
【０００６】
そこで、本発明は、生物処理槽内で使用される流動担体の交換や回収といった管理作業を水抜きすることなく確実に効率よく行うことができる流動担体生物処理槽を提供することを目的とするものである。
【課題を解決するための手段】
【０００７】
本発明に係る流動担体生物処理槽は、上方が開口されているとともに流入した排水を一時的に貯留する槽本体と、前記槽本体内の排水中に流動するとともに排水に含まれる有機物を分解する微生物を担持する多数の流動担体と、前記槽本体内に拡がるように設置されて内部に前記流動担体を滞留させるとともに前記流動担体を捕捉可能な網目構造に形成された繊維製の網体とを備えていることを特徴とする。さらに、前記網体は、上方が開口された袋状に形成されており、上方開口の周縁部が水面より上方の位置で前記槽本体に移動可能に取り付けられていることを特徴とする。さらに、前記槽本体の周壁面及び底面に沿うように前記網体を拡げて保持する保持手段を備えていることを特徴とする。
【発明の効果】
【０００８】
本発明は、上記の構成を備えることで、槽本体内に拡がるように設置されて内部に流動担体を滞留させるとともに流動担体を捕捉可能な網目構造に形成された繊維製の網体を設けているので、網体を用いて多数の流動担体の回収や交換といった管理作業を簡単に行うことが可能となり、流動担体の処理槽外への流出も確実に防止することができる。
【０００９】
例えば、処理槽内の流動担体を回収する場合には、網体が流動担体を捕捉可能な網目構造を備えているため、網体を狭めたり引き上げるだけで流動担体を集めて回収することができ、流動担体が処理槽内に散逸することなく簡単に回収作業を行うことが可能となる。その際に、処理槽内の水抜き等の作業を行う必要はなく、廃水処理を継続しながら回収作業を短時間で完了することができる。
【００１０】
このように処理槽内の流動担体を簡単に回収することができることから、処理槽内に投入する流動担体の量を適正量に調整するために随時網体を引き上げて流動担体の量を調整することが可能となる。生物処理槽では、処理する廃水の特性によりその処理条件を個別に設定していくことが必要で、そのためには流動担体の投入量についても実際に廃水処理に使用しながら試験していくことが行われている。本発明に係る流動担体生物処理槽では、そうした試験段階においても実際に使用する処理槽で簡単に試験を実施することが可能となり、未処理水を排水しない的確な廃水処理を行う流動担体生物処理槽を実現することができる。
【００１１】
また、繊維製の網体は柔軟性に富み、様々な形状の処理槽の内面に沿って設置することが可能となる。
【００１２】
そして、網体を上方が開口された袋状に形成し、上方開口の周縁部を水面より上方の位置で槽本体に移動可能に取り付けることで、網体内部に滞留する流動担体を処理槽内に散逸させることなく確実に捕捉可能な状態にすることができる。また、網体の周縁部を移動可能に取り付ければ、網体を取り扱う際に、網体の周縁部を一箇所に集めたり、網体の周縁部を拡げたりする作業を効率よく行うことができる。さらに、槽本体の周壁面及び底面に沿うように網体を拡げて保持する保持手段を設けておけば、網体が流動することなく安定した状態で壁面に沿って保持され、流動担体が槽本体内に偏在することなく全域にわたって流動するようになる。
【発明を実施するための最良の形態】
【００１３】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１４】
図１は、本発明に係る実施形態に関する概略断面図である。流動担体生物処理槽１は、上方が開口し直方体状の空間に形成された槽本体２と、槽本体２の上方から排水を流入させる流入管３と、槽本体２の内部から処理された水を流出させる流出管４と、槽本体２の底面に空気を送給する給気管５と、槽本体２内に取り付けられた網体６とを備えている。
【００１５】
流入管３から槽本体２内に流入した排水は所定の深さまで滞留し、流出管４からポンプにより吸い上げられて流出するようになっている。給気管５は、槽本体２の底面まで延設されて底面に沿って複数の噴気管５ａに分岐している。各噴気管５ａには、所定間隔を置いて複数の噴気孔が穿設されており、各噴気孔から圧縮空気が噴出して常時多数の気泡が発生している。発生した気泡は排水中を上昇するため、槽本体２内には、図１の矢印で示すような上下方向に循環する対流が発生するようになる。
【００１６】
網体６は、上方が開口した袋状に形成されており、後述するように槽本体２の内周壁面及び底面に沿うように拡げられて保持されている。そして、その内部には多数の流動担体７が滞留されている。
【００１７】
網体６は、繊維製材料から作成されており、合成繊維からなる糸を網目構造に織成又は編成されている。例えば、平織により緯糸及び経糸を所定間隔で織成し、交差部分を接着させることで、矩形状の網目構造を形成することができる。網目の大きさは、流動担体７が通り抜けることができない大きさに設定することで、流動担体７を確実に捕捉することができる。なお、網目の大きさを小さくすると、汚泥が詰まるなどして網体を引き上げる際に網体内部の水が抜けにくくなるため、適度な大きさを確保しておく必要がある。
【００１８】
流動担体７は、１辺が約１ｃｍの立方体状でポリウレタン製発泡体からなる。流動担体７は発泡樹脂材料からなるので、内部に排水を吸収して排水中を浮遊するようになる。内部に排水を吸収することで、排水中の微生物が内外に固着するようになり、流動担体７内で微生物が増殖して排水中の有機物を分解するようになる。流動担体７は、上述したように、槽本体２内の対流によって排水中を流動し、底面から噴出する空気によって微生物の活動が促進されて有機物の分解処理量を増加させることができる。こうした流動担体は、公知のものを用いることができる。
【００１９】
図２は、網体６に関する概略斜視図である。網体６及びその取付部分以外は、理解を容易にするため点線で表示している。槽本体２の上面には、各辺部に沿って係合レール１０〜１３が固定されている。網体６の上方開口の周縁部６ａには、所定間隔を置いて複数のフック部材１４が係合しており、槽本体２の水面より上方に位置するように、各フック部材１４が係合レール１０〜１３に係止されている。フック部材１４は、係合レールに摺動可能に係止しており、そのため、網体６の周縁部６ａは、フック部材１４を摺動させることで移動可能に取り付けられている。
【００２０】
網体６は、槽本体２の底面の四隅に対応した箇所に金属製の錘１５が取り付けられており、錘１５が底面の四隅に配置されることで、網体６が気泡による対流により流動することなく安定した状態に保持されるようになる。以上のように、網体６の上方開口の周縁部６ａが係合レール１０〜１３に係止され、底面部が錘１５により保持されているので、網体６は、槽本体２の周壁面及び底面に沿って安定した状態で保持されるようになる。そのため、網体６の内部に滞留している流動担体７は、槽本体２の全域にわたって偏在することなく流動するようになり、効率よく有機物の分解処理が促進されるようになる。
【００２１】
図３は、網体６を引き上げる場合の説明図である。網体６を引き上げる場合には、係合レール１２及び１３に交差するように取付バー２０を架設する。そして、係合レール１０又は１１に係止されているフック部材１４を取り外して取付バー２０に係止する。図３（ａ）は、取付バー２０に係合バー１１のフック部材１４を移し替えた場合を例示している。
【００２２】
フック部材１４を取付バー２０に係止した状態で取付バー２０を回転させて網体６を巻き上げていく。図３（ｂ）に示すように、網体６を巻き上げていくと錘１５が引き上げられていくと同時に網体６の上方開口の周縁部６ａが巻き取られ、内部に滞留する流動担体７が次第に集まられていくようになる。
【００２３】
こうして集められた流動担体７を吸引ポンプで吸い上げて回収する。そして、取付バー２０とともに網体６を槽本体２から徐々に引き上げて流動担体７を集めながら吸引ポンプで回収していけば、流動担体７が散逸することなく効率よく回収作業を行うことができる。また、処理槽が小さい場合には、網体６を流動担体７とともに一気に引き上げるようにしてもよい。
【００２４】
以上説明したように、柔軟性の高い繊維製の網体６を槽本体２内に設置して網体６の内部に流動担体７を滞留させているので、流動担体７が外部に流出することなく槽本体２内の排水中に流動させることができる。そして、網体６を引き上げることで、流動担体７を集めながら回収することが可能となり、槽本体２内の水抜きや空気の噴出停止といった処理作業を中断することなく、回収作業を行うことができる。
【００２５】
また、排水処理を行いながら、流動担体７を回収できるので、流動担体７の投入量を調整しながら排水処理を続行することが可能となり、処理槽の特性に合せて適正量の流動担体７に調整することができ、未処理水の発生を防止し最適な排水処理を行うことが可能な流動担体生物処理槽を実現できる。
【図面の簡単な説明】
【００２６】
【図１】本発明に係る実施形態に関する概略断面図である。
【図２】網体に関する概略斜視図である。
【図３】網体を引き上げる場合の説明図である。
【符号の説明】
【００２７】
１    流動担体生物処理槽
２    槽本体
３    流入管
４    流出管
５    給気管
６    網体
７    流動担体
10    係合レール
11    係合レール
12    係合レール
13    係合レール
14    フック部材
15    錘
【図１】
2007319807.tif 000003
【図２】
2007319807.tif 000004
【図３】
2007319807.tif 000005